(57)【要約】【目的】この発明は電力の増幅に関するものである。【構成】１００ボルト５０、６０ヘルツ商用電源からスライドトランスを介してブリッジ整流器につなぎ直流モ−タ−の電力増幅機能をひきだすべくスライドトランスのハンドルを回す事に依って電力の増幅を行なった。又、蓄電池群とエネルギ−増幅器の組み合わせにより非常に長時間使える便利な電力増幅機が出来た。又実用上使用可能な３，０５０ワット規模の継続使用可能な電源が出来た。又人体のオ−ラとラジオ等を利用して機械、測定器を正常に作動させた。又デモンストレ−ション用の蓄電器対の少ない機械も出来た。【選択図】図８
2008263767.tif 000002
【特許請求の範囲】
【請求項１】
直流モ−タ−４８ボルト駆動、３５０ワット出力用の物を１２ボルトタイプの自動車用蓄電器２個直列にし２４ボルトとしたものにおよそ０．５秒間接触させる事に依って、この蓄電器対及び直流モ−タ−系で直流モ−タ−の発電作用を利用し、この閉ル−プに閉じ込める事に依って、この蓄電器対の電圧を０．５ミリボルト上昇させ、蓄電器の容量を１８００００ク−ロンとして、電圧上昇量×電荷量が、９０ジュ−ルと成り、電力増幅作用示し、この様な系での電力増幅作用を利用しエネルギ−需要に対応する事を目的、及び特徴とする電力増幅機。
【請求項２】
先にユの字型に曲がる先端板を持ったその先端板に比較的直径の大きな円柱を取り付け、長手板の先端部に固定した十分円滑なステンレス線又は被服電線等の先端に重りを付けたものを、長手板の先端部から遠い方から円柱に半巻させた物を長手板の中心に対して左右対称となるべく二つセットした物これをくの字型動力機関と称し、このエネルギ−増幅機の機構部を軸の部分を取ってここに直流モ−タ−の軸を設備し、これを蓄電器の対に接続して直流モ−タ−を作動させる事に依ってル−プ内の蓄電器対の電圧を上げる事等を特徴とする請求項１の電力増幅機。
【請求項３】
長手板の中心に中心軸を持つ長手板の一方の先端にいくらかの質量を持つ重りを付け、中心軸を取ってそこに直流モ−タ−の軸心を設備し、直流モ−タ−に蓄電器対を接続させてから、全体を重力の作用が及ぶ様にいくらか傾斜させてから直流モ−タ−を作動させて、その一つ重りが重力の作用のなかで弾み車様の原理に依って電力を増幅させる一球式エネルギ−増幅器と称し、蓄電器対の電圧を増加させる事を特徴とする請求項１の電力増幅機。
【請求項４】
直流モ−タ−の軸心に直接、くの字型エネルギ−増幅機等を取り付け直流、交流インバ−タ−１０００ワットの物に交流負荷を５００ワットを付けて、かつ、スイッチングタイマ−で、１．０から４．０秒程度前後オン、３．０秒から１２．０秒程度前後オフの時間とすべくセパレ−ト銅片を４つ用意し、かつ電流効率を良くする為１つの銅片と接触する蓄電器は３系統の、２台直列の蓄電器対を並列に接続しこれらの要素を並列に接続して、かつスイッチングタイマ−で次々６個ブロックの蓄電器４組合計２４個の蓄電器を使用し使用時間の３倍の時間休ませ回復させながら、かつ、回転する接触銅板の電源を１００ボルト５０、６０ヘルツの交流商用電源およそ１５ワット程度を利用するか、直流安定化電源を使用等して安定的にデスクグラインダ−を利用してゆっくり回転させながら電力をかなりな時間利用する事が出来る事を特徴とする請求項１の電力増幅機。
【請求項５】
直流モ−タ−の軸心に直接、くの字型エネルギ−増幅機等を取り付け直流、交流インバ−タ−１０００ワット程度の物に５００ワットの交流負荷を取り付けて、かつスイッチングタイマ−で０．５秒から４秒程度オン、０．５秒から４秒程度オフとすべく、セパレ−ト銅片を２つ用意し、かつ電流効率を良くする為出来れば容量の大きい蓄電器を３系統の２台直列の蓄電器対を並列に接続し、前述の各部品を並列に接続して、かつスイッチングタイマ−で次々６個ブロックの蓄電器２組を２組、合計１２個を使用し、使用時間と同じ時間休ませ、電圧を回復させながら、かつ回転接触板の先端に回転鉄玉をスム−ズ転がれる様にし、回転接触銅板の駆動電源は、１０００ワット程度の前記直流交流インバ−タ−から採り、デスクグラインダ−をある程度早く回転させながら、電力をかなりな時間利用する事が出来る事を特徴とする請求項１の電力増幅機。
【請求項６】
直流モ−タ−の軸心に直接くの字型、又はベクトル変換型等のエネルギ−増幅機を取り付け、直流、交流インバ−タ−１５００ワット程度の物に１３９０ワットの交流負荷を取り付けて、かつスイッチングタイマ−で０．４秒から３．０秒程度オンとし０．４秒から３．０秒程度オフすべく、セパレ−ト銅片を２つ用意し、かつ電流効率を良くする為出来れば容量、出力電流の大きい４系統の２台直列の蓄電器対を並列に接続し、前述の各部品を並列に接続して、かつスイッチングタイマ−で次々８個ブロックの蓄電器を２組合計１６個を利用し、使用時間と同じ時間休ませ、エネルギ−増幅機で電圧を回復させながら、かつ回転接触銅板の駆動電源は、１５００ワット程度の前記直流交流インバ−タ−から、又は１００ボルト交流電源から採り、デスクグラインダ−の速度をスライドトランスで調整して決め、電力をかなりな時間利用する事が出来る事を特徴とする請求項１の電力増幅機。
【請求項７】
請求項７に於ける装置を２つ又は３つ以上組み合わせてかつスイッチングタイマ−、スライドトランス、ユニバ−サルモ−タ−等は共通にし、直流交流インバ−タ−は大きな３０００ワット、４５００ワットの物にし効率の良い、低価格の物とした事を特徴とする請求項１の電力増幅機。
【請求項８】
直流モ−タ−の軸心に、直接、ベクトル変換型、遠心力重力駆動型又は、くの字型等のエネルギ−増幅機を付け、直流交流インバ−タ−１０００ワットの物に７００ワットの交流負荷を取りつけて、かつスイッチングタイマ−で４秒から、１２秒程度オンとし、４秒から、２４秒程度オフとすべく、セパレ−ト銅片を２つ、から３つ用意し、かつ電流効率を良くする為、容量の大きい、出力電流の大きい４系統の２台直列の蓄電器対を並列に接続し、かつ前述の各部品を並列に接続して、かつスイッチングタイマ−で次々８個ブロックの蓄電器を２組合計１６個、小型の蓄電器なら１４個ブロックの蓄電器を２組２８個利用し、又は３組合計２４個用意し、小型の蓄電器なら１４個ブロックの蓄電器を３組４２個利用して使用時間と同じ時間、又は使用時間の２倍の時間休ませ、エネルギ−増幅機で電圧を回復させながら、かつ回転接触板の駆動電源は、１０００ワットの前記直流インバ−タ−から、又は１００ボルト交流電源から採り、デスクグラインダ−等のモ−タ−の速度をスライドトランスで調整して決め、電力をかなりな時間利用する事が出来る事を特徴とする請求項１の電力増幅機。
【請求項９】
ベクトル変換型エネルギ−増幅機を直流モ−タ−の軸心に取り付けた物、及び７０ワットの直流ランプ４個を各々並列にしたものを並列に、容量の大きい５０アンペアアワ−程度の蓄電器に接触すべく用意し、０．３秒程度、瞬間接触させる事に依って蓄電器の電圧を３ミリボルトこの閉ル−プ系で上昇させ、こうした機構を利用して電力を上昇させる事の出来る事を特徴とする請求項１の電力増幅機。
【発明の詳細な説明】
【技術分野】
【０００１】電力の増幅作用を引き出す為、簡単な結線をした。
【背景技術】
【０００２】エネルギ−増幅機は適当な構成を行なえば、電力増幅作用が出てくる。
又、電圧計は裸銅線で巻いて閉ル−プコイルを形成させる。
又、電圧計にコンデンサ−を接触させて静電気を取り、電圧を測定する技術。
又、蓄電器の電圧測定に、又蓄電器の正常性能を保つのに、真近に振動磁場を持って外部より来る妨害磁場に対する防衛のため、ラジオをセットするという技術。
又、蓄電器等の電圧を、場合によっては、電圧計をセキュリティの為、摂氏３９度の環境中に入れ、電圧を測定するという技術。
【発明の開示】
【０００３】
【発明が解決しようとする課題】
【０００４】この発明が解決しようとする課題はいかにして簡易的な電源を確保するかにある。
【課題を解決する為の手段】
【０００５】ここではエネルギ−増幅機の電力増幅作用を引き出す為、蓄電器に直接接続し電力を逃がさない様にする事等。
【発明の効果】
【０００６】電力増幅機に依ってある程度長時間使用出来る電源の開発に成功した。
又蓄電器１対２４ボルトタイプの蓄電器２個で蓄電器対の電圧を２４．３９６ボルトから２４．３９９ボルトと上昇させるのに７０ワット直流ランプ４個及びエネルギ−増幅器を使用して、これらを蓄電器対に約０．３秒接触し作動させる事に依って実現出来た。これらの実現には負荷をある程度かける事が必要の様である。
又請求項４、請求項５のタイプでも出力５００ワットの回復する電源が出来た。
又請求項６のタイプでは出力１３９０ワットの回復する電源が出来た。
又請求項７のタイプでは出力数キロワットの回復する電源が出来た。
又請求項８のタイプでは出力７００ワットの回復する電源が出来た。
【発明を実施する為の最良の形態】
【０００７】出力の大きな電源を開発したい。
【実施例１】
【０００８】図１に於ける様に４８ボルト駆動用直流モ−タ−を、自動車用１２ボルト型蓄電器を直列接続し２４ボルトとしたものに約０．５秒ほど接触させる事に依ってこの蓄電器の電圧を０．５ミリボルト上昇させた。これは直流モ−タ−に発電作用があり、かつ発電した電力を蓄電器対に閉じ込め、外に逃がさない様にした事によるものと思われる。この事を図１に示す。
【実施例２】
【０００９】ここでは１２ボルトタイプの蓄電器を２つ直列に繋ぎ、２４ボルトの電圧で直流モ−タ−に繋ぎ、直流モ−タ−の軸心には直接、細長板の両翼に図２に示すように屈曲した板を持ちその先端部分にある程度大きな円柱を備えてその円柱を巻くようにして細長板の先端から出た先に重りを持ったステンレス線又は被服電線を設備した物、を取り付けた直流モ−タ−を作動させる事に依り、両翼の重りが作る遠心力に依ってエネルギ−増幅作用、および電力増幅作用に依って蓄電器対の電圧は２５．１７２ボルトから０．５秒通電する事に依って２５．１７３ボルトへと上昇した。この事を図２に示す。
【実施例３】
【００１０】ここでは１２ボルトタイプの蓄電器を２つ直列に繋ぎ、２４ボルトの電圧で直流モ−タ−に繋ぎ、直流モ−タ−の軸心には直接、左右対称となるように中心を持つ細長板を設備し片方の翼の先端付近に重りを設ける様にした一玉式エネルギ−増幅器を取り付け、軸心を傾けた直流モ−タ−を０．５秒間、作動させると弾み車様の原理で蓄電器の電圧は２５．１５１ボルトから、２５．１５２ボルトへと上昇した。この事を図３に示す。
【実施例４】
【００１１】ここでは１２ボルトタイプの蓄電器対を３つ並列にして合計６個の蓄電器をブロックとして、４グル−プ用意し、全体で２４個の蓄電器で効率良く蓄電器の回復をさせる。これは、くの字型エネルギ−増幅機等からもらった増幅エネルギ−源を利用して回復する。
５００ワットの交流負荷、具体的には１００ボルト３００ワットと１００ボルト１００ワット２個の合計５００ワットである。いずれも回転を止めるまで明るく輝き続けた。蓄電器が回復するかどうかは駆動前と駆動後の蓄電器の電圧を計測し確認した。この事を図４に示す。
【実施例５】
【００１２】ここでは１２ボルトタイプの蓄電器対を３つ並列にして合計６個の蓄電器をブロックとして、２グル−プ用意し、全体で１２個の蓄電器で効率良く蓄電器の回復をさせる。これは、くの字型エネルギ−増幅機からもらった増幅エネルギ−源を利用して回復する。
４８０から５００ワットの交流負荷、具体的には１００ボルト３００ワットの電球１個と、１８０から２００ワットの電球１個の合計４８０ワットから５００ワットである。いずれも回転を止めるまで明るく輝き続けた。
蓄電器が回復するかどうかは駆動前と駆動後の蓄電器の電圧を計測して確認した。
この事を図５に示す。
【実施例６】
【００１３】ここでは１２ボルトタイプの蓄電器対を４つ並列にして合計８個の蓄電器をブロックとして、２グル−プ用意し、全体で１６個の蓄電器で、エネルギ−増幅機で効率良く電圧を回復させる。
ここでは負荷はインバ−タ−の１００ボルト５０ヘルツから取り、３００ワットの電球２個と、２３０ワットの電球１個、および１８０ワットの電球２個、２００ワットの電球１個の合計１３９０ワットを出力していた。
この事を図６に示す。
【実施例７】
【００１４】ここでは上記実施例６の約２倍の出力をだしていた。この事を図７に示す。
【実施例８】
【００１５】ここでは１２ボルトタイプの蓄電器対を４つ並列にして合計８個の蓄電器をブロックとして、２グル−プ、又は３グル−プ用意し、全体で１６個、又は２４個の蓄電器で、ベクトル変換型等のエネルギ−増幅機で、効率良く電圧を回復させる。
ここでは負荷は１０００ワットのインバ−タ−の１００ボルト５０ヘルツから取り、３００ワットの電球２個と、１００ワットの電球１個の合計７００ワットを出力していた。これらの事を図８、図９に示す。
【実施例９】
【００１６】ここでは１２ボルトタイプの蓄電器を２個直列に接続し、遠心力型のベクトル変換型等のエネルギ−増幅機を軸心に直接取り付けた直流モ−タ−及び２個の直流ランプを並列に接続したものをこの蓄電器に０．５秒接触させる事に依って蓄電器対の電圧を２４．４２１ボルトから２４．４２２ボルトに上昇させた。
１ミリボルトの電圧上昇である。蓄電器の容量が１８００００ク−ロンであるから１８０ジュ−ルの閉ル−プ系に於ける電力増幅である。又、ここでは１２ボルトタイプの蓄電器を２個直列接続し、遠心力型のベクトル変換型等のエネルギ−増幅機及び７０ワット自動車用のランプを４個並列に接続したものをこの蓄電器対に０．３秒接触させる事に依って蓄電器対の電圧を２４．３９６ボルトから２４．３９９ボルトに上昇させた。
３ミリボルトの電圧上昇である。蓄電器の容量は５０Ａ×Ｈとして５０アンペア×１時間、は５０アンペア×３６００秒であるから１８００００ク−ロンとして０．００３ボルト×１８００００ク−ロンは５４０ジュ−ルであり、閉ル−プ系に於ける５４０ジュ−ルの電力増幅である。
この電圧上昇の結果は公的機関の６時間にわたる測定の結果でありこの特許願に添付する。
この増幅の技術を電力増幅に積極的に生かして、電力不足に備える。
この事を図１０に示す。
【産業上の利用可能性】
【００１７】原子力発電、火力発電から自然エネルギ−を目指す時代であるからソ−ラ−発電と組み合わせてもよいが、いつでも電圧の上昇が出来る請求項１、請求項２、請求項３請求項９での蓄電器群及び各種エネルギ−増幅機を取り付けた直流モ−タ−の組み合わせでは自己充電タイプで大変便利なので負荷が大きくなければそのまま使い続けられるという利点がある。
又請求項４、請求項５では、使用出来る消費可能電力が５００ワットと請求項６では１３９０ワット、請求項７では組み合わせで数キロワット、請求項８では７００ワットと大きく、一般家庭で冷蔵庫、扇風機、テレビ、パソコン、電灯、蛍光灯等を使用出来る。実験では負荷は自動車のヘッドランプ７０ワット消費電力の物を用いた。
【図面の簡単な説明】
【００１８】
【図１】図１は請求項１の各部品の接続状況を示す立面斜視図である。
【図２】図２は請求項２の各部品の接続状況を示す立面斜視図である。
【図３】図３は請求項３の各部品の接続状況を示す立面斜視図である。
【図４】図４は請求項４の各部品の接続状況を示す立面斜視図である。
【図５】図５は請求項５の各部品の接続状況を示す立面斜視図である。
【図６】図６は請求項６の各部品の接続状況を示す立面斜視図である。
【図７】図７は請求項６の各部品の接続状況を示す立面斜視図である。
【図８】図８は請求項８の各部品の接続状況を示す立面斜視図である。
【図９】図９は請求項８の別のタイプの各構成要素の接続、配置状況を示す立面斜視図である。
【図１０】図１０は請求項９の各部品の接続状況を示す立面斜視図である。
【符号の説明】
【００１９】▲１▼１００ボルト５０、６０ヘルツ交流商用電源
▲２▼スライドトランス
▲３▼ブリッジ整流器
▲４▼直流モ−タ−
▲５▼入力側交流ボルトメ−タ−
▲６▼入力側交流アンペアメ−タ−
▲７▼出力側直流ボルトメ−タ−
▲８▼出力側直流アンペアメ−タ−
▲９▼負荷
▲１０▼蓄電器群
▲１１▼スイッチングタイマ−
▲１２▼直流交流インバ−タ−
▲１３▼交流負荷
▲１４▼銅針
▲１５▼絶縁カラ−
▲１６▼セパレ−ト銅片
▲１７▼銅製接触板
▲１８▼中空円柱
▲１９▼黒鉛
▲２０▼ナット
▲２１▼回転軸
▲２２▼プ−リ−
▲２３▼ベルト
▲２４▼ユニバ−サルモ−タ−
▲２５▼黒色湯浴
▲２６▼抵抗
▲２７▼直流ボルトメ−タ−
▲２８▼ベクトル変換型動力機関等のエネルギ−増幅機
▲２９▼ラジオ
▲３０▼人体
▲３１▼コンデンサ−
▲３２▼永久磁石
▲３３▼水の入ったコップ
▲３４▼オ−ラ
▲３５▼閉ル−プコイルをア−スに落とした物
▲３６▼アンテナ
▲３７▼長手板
▲３８▼中間板
▲３９▼先端板
▲４０▼円柱
▲４１▼ステンレス線、被服電線等
▲４２▼重り
▲４３▼直流モ−タ−、ユニバ−サルモ−タ−等
▲４４▼軸心
▲４５▼蓄電器対
▲４６▼固定台
▲４７▼回転部電力伝達部
▲４８▼くの字型エネルギ−増幅機
▲４９▼回転鉄玉
▲５０▼電圧モニタ−
▲５１▼スイッチ
【図１】
2008263767.tif 000003
【図２】
2008263767.tif 000004
【図３】
2008263767.tif 000005
【図４】
2008263767.tif 000006
【図５】
2008263767.tif 000007
【図６】
2008263767.tif 000008
【図７】
2008263767.tif 000009
【図８】
2008263767.tif 000010
【図９】
2008263767.tif 000011
【図１０】
2008263767.tif 000012
【手続補正書】
【提出日】平成19年8月11日(2007.8.11)
【手続補正１】
【補正対象書類名】特許請求の範囲
【補正対象項目名】全文
【補正方法】変更
【補正の内容】
【特許請求の範囲】
【請求項１】
先にユの字型に曲がる先端板を持ったその先端板に比較的直径の大きな円柱を取り付け、長手板の先端部に固定した十分円滑なステンレス線又は被服電線の先端に重りを付けたものを、長手板の先端部から遠い方から円柱に半巻きさせた物を長手板の中心に対して左右対称となるべく二つのセットした物これをくの字型動力機関と称し、このエネルギ−増幅機の機構部を軸の部分を取ってここに直流モ−タ−の軸を設備し、これを蓄電器の対に接続して直流モ−タ−を作動させる事に依ってル−プ内の蓄電器対の電圧を上げる事等を特徴とする電力増幅機。
【請求項２】
長手板の中心に中心軸を持つ長手板の一方の先端にいくらかの質量を持つ重りを付け、中心軸を取ってそこに直流モ−タ−の軸心を設備し、直流モ−タ−に蓄電器対を接続させてから、全体を重力の作用が及ぶ様にいくらか傾斜させてから直流モ−タ−を作動させて、その一つの重りの作用のなかで弾み車様の原理に依って電力を増幅させる一玉式エネルギ−増幅器と称し、蓄電器対の電圧を増加させる事を特徴とする請求項１の電力増幅機。
【請求項３】
ベクトル変換型エネルギ−増幅機を直流モ−タ−の軸心に取り付けた物、及び７０ワットの直流ランプ４個を各々並列にしたものを並列に、容量の大きい５０アンペアアワ−程度の蓄電器に接触すべく用意し、０．３秒程度、瞬間接触させる事に依って蓄電器の電圧を３ミリボルトこの閉ル−プ系で上昇させ、こうした機構を利用して電力を上昇させる事の出来る事を特徴とする請求項１の電力増幅器。
【手続補正２】
【補正対象書類名】明細書
【補正対象項目名】全文
【補正方法】変更
【補正の内容】
【発明の詳細な説明】
【技術分野】
【０００１】電力の増幅作用を引き出す為、簡単な結線をした。
【背景技術】
【０００２】エネルギ−増幅機は適当な構成を行なえば、電力増幅作用が出てくる。
又、電圧計は裸銅線で巻いて閉ル−プコイルを形成させる。
又、電圧計にコンデンサ−を接触させて静電気を取り、電圧を測定する技術。
又、蓄電器の電圧測定に、又蓄電器の正常性能を保つのに、真近に振動磁場を持って外部より来る妨害磁場に対する防衛のため、ラジオをセットするという技術。
又、蓄電器等の電圧を、場合によっては、電圧計のセキュリティの為、摂氏３９度の環境中に入れ、電圧を測定するという技術。
【発明の開示】
【０００３】
【発明が解決しようとする課題】
【０００４】この発明が解決しようとする課題はいかにして簡易的な電源を確保するかにある。
【課題を解決する為の手段】
【０００５】ここではエネルギ−増幅機の電力増幅作用を引き出す為、蓄電器に直接接続し電力を逃がさない様にする事等。
【発明の効果】
【０００６】電力増幅機に依ってある程度長時間使用出来る電源の開発に成功した。
又蓄電器１対２４ボルトタイプの蓄電器２個で蓄電器対の電圧を２４．３９６ボルトから２４．３９９ボルトと上昇させるのに７０ワット直流ランプ４個及びエネルギ−増幅器を使用して、これらを蓄電器対約０．３秒接触し作動させる事に依って実現出来た。これらの実現には負荷をある程度かける事が必要の様である。
【発明を実施する最良の形態】
【０００７】出力の大きな電源を開発したい。
【実施例１】
【０００８】ここでは１２ボルトタイプの蓄電器を２つ直列に繋ぎ、２４ボルトの電圧で直流モ−タ−に繋ぎ、直流モ−タ−の軸心には直接、細長板の両翼に図１に示すように屈曲した板を持ちその先端部分にある程度大きな円柱を備えてその円柱を巻くようにして細長板の先端から出た先に重りを持ったステンレス線又は被服電線を設備した物、を取り付けた直流モ−タ−を作動させる事に依り、両翼の重りが作る遠心力に依ってエネルギ−増幅作用、及び電力増幅作用に依って蓄電器対の電圧は２５．１７２ボルトから０．５秒通電する事に依って２５．１７３ボルトへと上昇した。この事を図１に示す。
【実施例２】
【０００９】ここでは１２ボルトタイプの蓄電器を２個直列に繋ぎ、２４ボルトの電圧で直流モ−タ−に繋ぎ、直流モ−タ−の軸心には直接、左右対称となるように中心を持つ細長板を設備し片方の翼に重りを設ける様にした一級式
エネルギ−増幅器を取り付け、軸心を傾けた直流モ−タ−を０．５秒間、作動させると弾み車様の原理で蓄電器の電圧は２５．１５１ボルトから、２５．１５２ボルトへと上昇した。この事を図２に示す。
【実施例３】
【００１０】ここでは１２ボルトタイプの蓄電器を２個直列に接続し、遠心力型のベクトル変換型のエネルギ−増幅機を軸心に直接取り付けた直流モ−タ−及び２個の直流ランプを並列に接続したものをこの蓄電器に０．５秒接触させる事に依って蓄電器対の電圧を２４．４２１ボルトから２４．４２２ボルトに上昇させた。
１ミリボルトの電圧上昇である。蓄電器  の容量が１８００００ク−ロンであるから１８０ジュ−ルの閉ル−プ系に於ける電力増幅である。又、ここでは１２ボルトタイプの蓄電器を２個直列接続し、遠心力型のベクトル変換型等のエネルギ−増幅機及び７０ワット自動車用のランプを４個並列に接続したものをこの蓄電器対に０．３秒接触させる事に依って蓄電器対の電圧を２４．３９６ボルトから２４．３９９ボルトに上昇させた。
３ミリボルトの電圧上昇である。蓄電器の容量は５０Ａ×Ｈとして５０アンペア×１時間、は５０アンペア×３６００秒であるから１８００００ク−ロンとして０．００３ボルト×１８００００ク−ロンは５４０ジュ−ルであり、この電圧上昇の結果は公的機関の６時間にわたる測定の結果でありこの特許願に添付する。
この増幅の技術を電力増幅に積極的に生かして、電力不足に備える。
この事を図３に示す。
【産業上の利用可能性】
【００１１】原子力発電、火力発電から自然エネルギ−を目指す時代であるからソ−ラ−発電と組み合わせてもよいが、いつでも電圧の上昇が出来る蓄電器群及び各種エネルギ−増幅機を取り付けた直流モ−タ−の組み合わせでは自己充電タイプで大変便利なので負荷が大きくなければそのまま使い続けられるという利点がある。
【図面の簡単な説明】
【００１２】
【図１】図１は請求項１の各部品の接続状況を示す立面斜視図である。
【図２】図２は請求項２の各部品の接続状況を示す立面斜視図である。
【図３】図３は請求項３の各部品の接続状況を示す立面斜視図である。
【符号の説明】
【００１３】▲１▼長手板
▲２▼中間板
▲３▼先端板
▲４▼円柱
▲５▼ステンレス線、被服電線等
▲６▼重り
▲７▼直流モ−タ−、ユニバ−サルモ−タ−等
▲８▼軸心
▲９▼蓄電器対
▲１０▼固定台
▲１１▼電圧モニタ−
▲１２▼スイッチ
【手続補正３】
【補正対象書類名】図面
【補正対象項目名】全図
【補正方法】変更
【補正の内容】
【図１】
2008263767.tif 000013
【図２】
2008263767.tif 000014
【図３】
2008263767.tif 000015